(57)【特許請求の範囲】
【請求項１】
長手方向に伸びた凹みを形成し、底部と前記底部の短手方向の両端部に形成された内壁部とを有する凹部を備える器具本体と、
光源と前記光源に電力を供給する電源装置とを備え、前記凹みを塞ぐように前記凹部に取り付けられる光源ユニットと
を備え、
前記凹部は、
前記内壁部に長手方向に伸びた溝を形成し、前記溝の内部に前記電源装置に接続される電線を収納する溝部であって、前記内壁部に形成された前記溝の底面を形成する溝底面部と前記溝の側面を形成する一対の溝側面部とを備えた溝部を備え、
前記底部は、
前記一対の溝側面部のうち一方の溝側面部を兼ねており、
前記凹部における前記底部の側の短手方向の幅は、前記凹部における開口部分の側の短手方向の幅より大きく、
前記一対の溝側面部のうち他方の溝側面部は、前記底部に向かって傾斜する収容傾斜部を形成している照明器具。
【請求項２】
長手方向に伸びた凹みを形成し、底部と前記底部の短手方向の両端部に形成された内壁部とを有する凹部を備える器具本体と、
光源と前記光源に電力を供給する電源装置とを備え、前記凹みを塞ぐように前記凹部に取り付けられる光源ユニットと
を備え、
前記凹部は、
前記内壁部に長手方向に伸びた溝を形成し、前記溝の内部に前記電源装置に接続される電線を収納する溝部であって、前記内壁部に形成された前記溝の底面を形成する溝底面部と前記溝の側面を形成する一対の溝側面部とを備えた溝部を備え、
前記底部は、
前記一対の溝側面部のうち一方の溝側面部を兼ねており、
前記凹部における前記底部の側の短手方向の幅は、前記凹部における開口部分の側の短手方向の幅より大きく、
前記溝により前記内壁部に形成された開口の短手方向の幅は、前記溝底面部の短手方向の幅よりも狭い照明器具。
【請求項３】
長手方向に伸びた凹みを形成し、底部と前記底部の短手方向の両側の端部に形成された両側の内壁部とを有する凹部を備える器具本体と、
光源と前記光源に電力を供給する電源装置とを備え、前記凹みを塞ぐように前記凹部に取り付けられる光源ユニットと
を備え、
前記凹部は、
前記両側の内壁部の各々に長手方向に伸びた溝を形成し、前記溝の内部に前記電源装置に接続される電線を収納する両側の溝部であって、前記両側の内壁部の各々に形成された前記溝の底面を形成する溝底面部と前記溝の側面を形成する一対の溝側面部とを備えた両側の溝部を備え、
前記底部は、
前記一対の溝側面部のうち一方の溝側面部を兼ねており、
前記凹部における前記底部の側の短手方向の幅は、前記凹部における開口部分の側の短手方向の幅より大きい照明器具。
【請求項４】
前記溝底面部の短手方向の幅は、前記溝側面部の短手方向の幅より長い請求項１から請求項３のいずれか１項に記載の照明器具。
【請求項５】
前記溝部は、
短手方向に平行な断面がコ字形状である請求項１から請求項４のいずれか１項に記載の照明器具。
【請求項６】
前記器具本体は、長手方向の端面部に前記電線を外部に送るための電線送り孔がノックアウト加工により形成された請求項１から請求項５のいずれか１項に記載の照明器具。
【発明の詳細な説明】
【技術分野】
【０００１】
本発明は、照明器具に関するものであり、特に、複数を長手方向に隣り合わせに配置して用いる照明器具に関する。
【背景技術】
【０００２】
長尺状の光源ユニットに、光源と電源とを備え、この光源ユニットが着脱自在に器具本体に取り付けられる照明器具がある。（例えば、特許文献１参照。）
【先行技術文献】
【特許文献】
【０００３】
【特許文献１】特開２０１４−７８４２６号公報
【発明の概要】
【発明が解決しようとする課題】
【０００４】
長尺状に形成された複数の照明器具を長手方向に隣り合わせて天井などに取り付け、器具本体内に設けられる端子台間を電源線（Ｆケーブル）で連結するように、送り配線（送り電線）を行う場合がある。このような場合、従来の照明器具では、光源ユニットを器具本体に取り付ける際、送り配線が光源ユニットに搭載された直流電源装置と器具本体との間で干渉し、光源ユニットが取り付けにくくなるという課題があった。
【０００５】
本発明は、複数の照明器具間を送り配線する場合において、光源ユニットを器具本体へ取り付ける際に送り配線が光源ユニットに配設された電源装置などと干渉することを防止できる照明器具を提供することを目的とする。
【課題を解決するための手段】
【０００６】
本発明に係る照明器具は、長手方向に伸びた凹みを形成し、内壁部を有する凹部を備える器具本体と、光源と前記光源に電力を供給する電源装置とを備え、前記凹みを塞ぐように前記凹部に取り付けられる光源ユニットとを備え、前記凹部は、前記内壁部に長手方向に伸びた溝を形成し、前記溝の内部に前記電源装置に接続される電線を収納する溝部を備えることを特徴とする。
【発明の効果】
【０００７】
本発明によれば、器具本体が備える凹部の内壁部に長手方向に伸びた溝を形成し、前記溝の内部に電源装置に接続される電線を収納する溝部を備えるので、光源ユニットを器具本体へ取り付ける際、送り配線が光源ユニットと干渉するのを防止することができるという効果を奏する。
【図面の簡単な説明】
【０００８】
【図１】実施の形態１に係る照明器具を示す斜視図である。
【図２】実施の形態１に係る照明器具を示す分解斜視図である。
【図３】実施の形態１に係る照明器具の断面図である。
【図４】図２のＡ部拡大図である。
【図５】実施の形態１に係る本体部及び光源ユニットを端部から見た斜視図である。
【図６】実施の形態１に係る照明器具における送り電線の配線について説明するための図である。
【図７】実施の形態２に係る照明器具の断面図である。
【発明を実施するための形態】
【０００９】
以下、本発明の実施の形態について、図を用いて説明する。なお、以下に説明する実施の形態によって本発明が限定されるものではない。また、以下の図面では各構成部の大きさの関係が実際のものとは異なる場合がある。また、実施の形態の説明において、「上」、「下」、「左」、「右」、「前」、「後」、「表」、「裏」といった方向や位置が示されている場合、それらの表記は、説明の便宜上、そのように記載しているだけであって、装置、器具、部品等の配置や向き等を限定するものではない。
【００１０】
実施の形態１．
図１は、本実施の形態に係る照明器具１０を示す斜視図である。図２は、本実施の形態に係る照明器具１０を示す分解斜視図である。図３は、本実施の形態に係る照明器具１０の断面図である。図４は、図２のＡ部拡大図である。図５は、本実施の形態に係る本体部２１及び光源ユニット３０を端部から見た斜視図である。
図１〜図５を用いて、本実施の形態に係る照明器具１０の全体構成について説明する。
【００１１】
本実施の形態に係る照明器具１０は、例えば、天井面などの被取付部に取り付けられる照明器具であり、長手方向に伸びた長尺状の照明器具である。この照明器具１０は、長手方向に複数連結して用いられる場合がある。
図１〜図５において、天井面の方向を取付方向あるいは上方とし、光源の照射方向を下方として説明する。
【００１２】
図１，２に示すように、照明器具１０は、器具本体２０と、この器具本体２０に着脱可能に取り付けられる光源ユニット３０とを備える。
【００１３】
器具本体２０は、長尺状の本体部２１と、この本体部２１の長手方向の両端に取り付けられる台形状の端板部２２（端面部）とを備える。
端板部２２には、取付方向が開口するＵ字状の電源線送り穴２６１（電線送り孔）がノックアウト加工されたノックアウト部２６が形成される。電源線送り穴２６１は、照明器具１１０が長手方向に連結された場合に、後述する送り電線を、長手方向の隣に配置された照明器具１０に送るための孔である。
【００１４】
図２〜５に示すように、本体部２１は、２つの傾斜部２１２と、この２つの傾斜部２１２に挟まれるように形成される凹部２４を備える。凹部２４は、２つの傾斜部２１２に挟まれた位置に長手方向に伸びた凹みを形成する。
２つの傾斜部２１２は、凹部２４の長手方向の両側の縁部２４４から、取付方向（上方）に向かって広がるように形成される。
図５に示すように、本体部２１は、１枚の金属板を折り曲げ加工することにより形成される。
【００１５】
凹部２４は、底面部２４１（底部）と、この底面部２４１の短手方向の両端側に照射方向に形成される側壁部２４２（内壁部）とを有する。底面部２４１には、図２に示すように、電源端子台２５が取り付けられる。
また、凹部２４は、側壁部２４２に長手方向に伸びた凹み溝（溝）を形成する収容凹部２４３（溝部）を備える。収容凹部２４３は、電源装置３４に接続される送り電線（電線）を内部に収容する。収容凹部２４３への送り電線の収容方法については後述する。
【００１６】
図４に示すように、収容凹部２４３は、凹み溝の底面を形成する溝底面部２４３２と、凹み溝の側面を形成する溝側面部２４３１とを備える。収容凹部２４３は、短手方向に平行な断面が略コ字形状である。
【００１７】
また、収容凹部２４３は、側壁部２４２において底面部２４１の存在する側（取付方向の側）に寄せて形成される。よって、図４に示す収容凹部２４３では、凹部２４の底面部２４１が、収容凹部２４３の上下の溝側面部２４３１のうち上方（取付方向）の溝側面部２４３１を兼ねた構造となっている。したがって、本体部２１を形成しやすい形状となっている。
なお、収容凹部２４３は、側壁部２４２の取付方向側に寄せて設けなくてもよい。収容凹部２４３は、凹部２４の縁部２４４と底面部２４１との間の側壁部２４２に設けられていればどこに形成しても構わない。
【００１８】
また、図４に示すように、収容凹部２４３は、溝底面部２４３２の短手方向の幅Ｌ２が、溝側面部２４３１の短手方向の幅Ｌ１より長く形成される。すなわち、収容凹部２４３の断面は、略コ字形状で形成される矩形が上下方向に長い矩形となる。
なお、収容凹部２４３の断面は、矩形でなくてもよい。例えば、上下方向に長いＣ字形状、Ｕ字を略９０度回転した形状でもよい。また、上下方向に長い形状でなくてもよく、溝底面部２４３２の短手方向の幅Ｌ２が、溝側面部２４３１の短手方向の幅Ｌ１より短く形成され、奥行きの深い収容凹部２４３でも構わない。
【００１９】
光源ユニット３０は、ＬＥＤ３２１（光源）と、ＬＥＤ３２１に電力を供給する電源装置３４とを備え、凹部２４の凹みを塞ぐように凹部２４に取り付けられる。
光源ユニット３０は、上方が開口するコの字形状に折り曲げられて形成した取付部材３１と、この取付部材３１に取り付けられるＬＥＤモジュール３２と、このＬＥＤモジュール３２を覆うように取付部材３１に取り付けられる透光カバー３３と、取付部材３１に取り付けられ、ＬＥＤモジュール３２に電力を供給する電源装置３４とを備える。
【００２０】
光源ユニット３０は、取付部材３１の照射方向側の面にＬＥＤモジュール３２が取り付けられ、取付部材３１の取付方向側の面に電源装置３４が取り付けられる。光源ユニット３０は、電源装置３４を器具本体２０の凹部２４の内部に収納するとともに、取付部材３１により凹部２４を塞ぐように、凹部２４の縁部２４４近傍に取り付けられる。
【００２１】
次に、器具本体２０と光源ユニット３０の取り付け工程について説明する。
図６は、本実施の形態に係る照明器具１０における送り電線１２の配線について説明するための図である。
図６では、照明器具１０を長手方向に２つ連結している状態を示している。図６に向かって左の照明器具１０を第１照明器具１０ａとし、右の照明器具１０を第２照明器具１０ｂとして説明する。第１照明器具１０ａと第２照明器具１０ｂとは、上述した照明器具１０と同一構造の照明器具である。以下において、第１照明器具１０ａの構成部の符号には添え字ａを付与し、第２照明器具１０ｂの構成部の符号には添え字ｂを付与することにより、第１照明器具１０ａと第２照明器具１０ｂとの構成部を区別して説明する。
【００２２】
まず、第１照明器具１０ａの器具本体２０ａを天井などの被取付部に取り付け、第２照明器具１０ｂの器具本体２０ｂを長手方向に並べて被取付部に取り付ける。このとき、端板部２２ａと端板部２２ｂとが接するように、第１照明器具１０ａと第２照明器具１０ｂとを配置することが好ましい。
次に、天井などから引き出された電源線１１を、第１照明器具１０ａの底面部２４１ａに設けられた挿入孔２７ａから凹部２４ａ内部に挿入する。挿入した電源線１１は、器具本体２０ａの凹部２４ａの底面部２４１ａに取り付けられている電源端子台２５ａの電線挿入孔に挿入する。
電源端子台２５ａにおいて送り電線１２を挿入する端子部分（送り電線挿入孔）に、送り電線１２を挿入し、この送り電線１２を、収容凹部２４３ａに押し込みながら端板部２２ａまで配線し、端板部２２ａと端板部２２ｂと介して第２照明器具１０ｂの器具本体２０ｂに送る。
【００２３】
なお、それぞれの器具本体２０ａ，２０ｂにおいて、対向して接する長手方向の端部（端板部２２ａ，２２ｂ）には、ノックアウト形成された電源線送り穴２６１ａ，２６１ｂが形成されている。予めこのノックアウトを外し、第１照明器具１０ａと第２照明器具１０ｂと間の電源線送り穴２６１ａ，２６１ｂを連通させておく。
そして、送り電線１２は、電源端子台２５ａから収容凹部２４３ａに押し込まれながら端板部２２ａまで配線され、連通する電源線送り穴２６１ａ及び電源線送り穴２６１ｂを介して第２照明器具１０ｂの凹部２４ｂの内部に送られる。
【００２４】
電源線送り穴２６１ａ，２６１ｂを通じて送られた送り電線１２は、第２照明器具１０ｂの収容凹部２４３ｂに押し込まれ、電源端子台２５ｂまで配線される。送り電線１２の先端部は電源端子台２５ｂの電源線挿入孔に挿入される。
図６において、送り電線１２が点線で表されている箇所は、送り電線１２が収容凹部２４３ａ，２４３ｂに押し込まれて収容凹部２４３ａ，２４３ｂの内部に収容されている箇所を示している。
【００２５】
このように、第１照明器具１０ａの内部から第２照明器具１０ｂの内部に配線された送り電線１２は、ほとんどが収容凹部２４３ａ，２４３ｂに収納された状態となり、送り電線１２が器具本体２０の凹部２４ａ，２４ｂの開口部分から垂れ下がったりすることがない。そのため、この状態で光源ユニット３０を凹部２４に取り付ける際、送り電線１２が光源ユニット３０と凹部２４の開口部分（縁部２４４）とに挟み込まれたり、電源装置３４と凹部２４との間に挟まったりするようなことがなく、送り電線１２が光源ユニット３０と干渉することを防止することができる。
【００２６】
また、図３に示すように、収容凹部２４３は、凹部２４の側壁部２４２と傾斜部２１２とに挟まれた空間に形成されるため、光源ユニット３０を器具本体２０に取り付けたとき、外観上からこの収容凹部２４３が形成されていることはわからず、照明器具１０の意匠性を損なうことがない。したがって、本実施の形態に係る収容凹部２４３によれば、意匠性を向上させながら、電源線を収容することが可能となる。
【００２７】
また、収容凹部２４３を凹部２４の両側の側壁部２４２（左右の側壁部２４２）にそれぞれ設けることによって、光源ユニット３０に取り付けられている電源装置３４が、短手方向の一方側に寄せてある場合であっても、収容凹部２４に収められている送り電線１２が電源装置３４に干渉することがない。
【００２８】
以上のように、本実施の形態に係る照明器具１０は、凹部２４を有する器具本体２０と、この器具本体２０の凹部２４に着脱自在に取り付けられる光源ユニット３０を備える長尺状の照明器具１０である。凹部２４は、底面部２４１と、底面部２４１の短手方向から折り曲げられて形成される側壁部２４２とを備え、側壁部２４２は、電源線（送り電線１２）を収容する電源線収容部（収容凹部２４３）を有する。よって、照明器具１０によれば、複数の照明器具１０間を送り配線したときに、光源ユニット３０を器具本体２０へ取り付ける際、送り電線１２（送り配線）が干渉することがないようにすることができる。
また、この電源線収容部は、側壁部２４２に、例えば凹状に形成された収容凹部２４３であるため、電源線収容部を形成することが容易であるとともに、簡単に電源線を収容することができる。
【００２９】
実施の形態２．
本実施の形態では、実施の形態１で説明した収容凹部２４３とは異なる形状の収容凹部２４３ｄを備える照明器具１０ｄについて説明する。
図７は、本実施の形態に係る照明器具１０ｄの断面図である。図７は、実施の形態１で説明した図３に相当する図であり、実施の形態１で説明した構成部と同様の構成部については同一の符号を付し、その説明を省略する場合がある。
【００３０】
本実施の形態では、収容凹部２４３ｄにより側壁部２４２に形成された開口の短手方向の幅Ｌ３は、溝底面部２４３２の短手方向の幅Ｌ４よりも狭く形成される。実施の形態１では、収容凹部２４３はコの字状に窪んだ形状である場合について説明したが、本実施の形態では、図７に示すように、収容凹部２４３ｄの下側の溝側面部２４３１ｄは、凹部２４の側壁部２４２から収容凹部２４３ｄの内部に入るにしたがって、凹部２４の開口部分の方向（照射方向）に傾斜する収容傾斜部２４３３を形成する。言い換えると、上下の溝側面部２４３１のうち照射方向側の溝側面部２４３１ｄは、溝底面部２４３２側から凹部２４の中央部に向かって徐々に取付方向側（上方）に傾斜した収容傾斜部２４３３となっている。よって、側壁部２４２に形成された開口の短手方向の幅Ｌ３は、溝底面部２４３２の短手方向の幅Ｌ４よりも狭くなる。
【００３１】
以上のように、収容凹部２４３ｄに収容傾斜部２４３３を形成するようにすると、電源線を収容凹部２４３ｄに挿入した際、電源線の重さによって傾斜に沿って力が発生し、収容凹部２４３ｄの内部に電源線が収容される。また、電源線自身の硬さによる応力などによって、収容凹部２４３ｄの内部へ電源線を押し込む力が発生しているときも、電源線が収容傾斜部２４３３の奥（角部）に押し当てられるようになるので、電源線が収容凹部２４３ｄに収容され易くなる。
【００３２】
また、送り電線１２などに使用する電源線は、断面が楕円形状を成している（図７参照）。よって、送り電線１２を収容凹部２４３ｄに斜め方向から差し込んで、捩じるように回転させることで、収容凹部２４３ｄに送り電線１２を挟み込ませることができ、確実に送り電線１２を収容凹部２４３ｄに収めることができる。
【００３３】
さらに、収容凹部２４３ｄを凹部２４の左右にそれぞれ設けることによって、光源ユニット３０に取り付けられている電源装置３４が、短手方向の一方側に寄せてある場合であっても、収容凹部２４３ｄに収められている送り電線１２が電源装置３４に干渉することがない。
【００３４】
なお、図７では、照射方向（下方）側の溝側面部２４３１ｄに収容傾斜部２４３３を形成する構成について説明したが、側壁部２４２に形成された開口の短手方向の幅Ｌ３が溝底面部２４３２の短手方向の幅Ｌ４よりも狭く形成されていればよく、上下両方の溝側面部２４３１が開口の短手方向の幅Ｌ３を狭めるように傾斜してもよい。あるいは、収容凹部２４３ｄは、Ｃ字形状でもよい。
【００３５】
以上、本発明の実施の形態について説明したが、これらの実施の形態の２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００３６】
１０  照明器具、１０ａ  第１照明器具、１０ｂ  第２照明器具、１０ｄ  照明器具、１１  電源線、１２  送り電線、２０，２０ａ，２０ｂ  器具本体、２１  本体部、２２  端板部、２４  凹部、２５，２５ａ，２５ｂ  電源端子台、２６  ノックアウト部、２７，２７ａ  挿入孔、３０  光源ユニット、３１  取付部材、３２  ＬＥＤモジュール、３３  透光カバー、３４  電源装置、２１２  傾斜部、２４１  底面部、２４２  側壁部、２４３  収容凹部、２４４  縁部、２６１  電源線送り穴、３２１  ＬＥＤ、２４３１  溝側面部、２４３２  溝底面部、２４３３  収容傾斜部。
【図１】
0006495596.tif 000002
【図２】
0006495596.tif 000003
【図３】
0006495596.tif 000004
【図４】
0006495596.tif 000005
【図５】
0006495596.tif 000006
【図６】
0006495596.tif 000007
【図７】
0006495596.tif 000008